(57)【特許請求の範囲】
【請求項１】
養殖される小型魚が進入する開口を有し、前記小型魚を奥側へ案内する導入部と、吸引手段が接続される開口を有する接続部と、前記導入部および前記接続部を繋ぐ流路を有する本体部とを備え、少なくとも前記導入部は、シート状部材または板状部材により形成された光透過性部材からなる小型魚誘導部材。
【請求項２】
前記本体部も、光透過性部材からなる請求項１記載の小型魚誘導部材。
【請求項３】
更に、前記接続部が光透過性部材からなる請求項２記載の小型魚誘導部材。
【請求項４】
前記光透過性部材が、ポリオレフィン系樹脂、酢酸ビニル系樹脂、ポリエステル系樹脂、ポリ塩化ビニル樹脂、アクリル樹脂、ポリ塩化ビニリデン、ポリエチレンテレフタレート樹脂、ポリカーボネート樹脂、メチルメタアクリレート系樹脂及びポリアミド樹脂から選択されるシート状部材または板状部材である請求項１から３のいずれかの項に記載の小型魚誘導部材。
【請求項５】
前記導入部は、前記導入部の開口から前記本体部へ向かうに従って開口面積が小さくなる請求項１から４のいずれかの項に記載の小型魚誘導部材。
【請求項６】
請求項１から５のいずれかの項に記載された小型魚誘導部材と、前記小型魚誘導部材の前記接続部に接続された導管と、前記導管に設けられた前記吸引手段とを備えた小型魚の回収装置。
【請求項７】
前記導管の一部が透明部材により形成され、
前記導管の光透過部分の一側に配置された発光部と、前記導管の一側と反対となる他側に配置された受光部と、前記受光部の受光の遮断回数を計数する計数部とを備えた請求項６記載の小型魚の回収装置。
【発明の詳細な説明】
【技術分野】
【０００１】
本発明は、生簀等で育成される小型魚を効率的に回収するための小型魚誘導部材および小型魚の回収装置に関するものである。
【背景技術】
【０００２】
従来から魚類に代表される海洋物資源の持続可能な活用を図るために、ヒラメ、タイ、フグ等の従来の養殖魚類のみならず、ブリやマグロ等の大型回遊魚の養殖が試みられている。この中でも、マグロは、近年、世界中で消費量が多くなり、特に枯渇問題が問題となっている。マグロの養殖に関しては、従来、マグロの未成魚を外洋で捕獲して、これを育てる畜養が主流であったが、近年、卵からマグロ成魚まで育てる完全養殖が報告され実現している（例えば、特許文献１。）。
【０００３】
魚類の養殖において、卵から孵化した仔魚を所定期間養殖槽で生育し、ある程度の大きさの稚魚に育ったのちに、大型の養殖槽や外洋の生簀での養殖に移行することがあり、この場合、養殖槽内の稚魚を回収する必要がある。稚魚の回収に当たり、フグやタイなどの従来の養殖魚では、例えば、特許文献２で開示されるような先端部の開口から魚類を水と共に吸引して基端部の開口から送出するための誘導部材を養殖槽に挿入し、これに接続された導管をポンプによって、または水位に高低差を付け、サイフォンの原理を利用するなどして吸引することにより、稚魚を効率よく吸い込み回収することができる。特許文献２においては、このような誘導部材して、青色や緑色の塗料により着色され、金属光沢をなくしたラッパ状や円錐状の誘導部材がよいとされている。
【０００４】
一方、マグロ稚魚は、他の魚類の稚魚と比較して衰弱しやすく、死亡率が高いという課題がある。また、回遊魚であるマグロは水流に逆らって遊泳する性質がある。そのため、従来の誘導部材を使用し、ポンプやサイフォンの原理を利用して水と共にマグロ稚魚を吸引して回収しようとすると、吸引力を高めるもしくは小型魚誘導部材へ強引に魚を追い込む必要がある。衰弱しやすいマグロの稚魚は、大きな吸引力による急激な流れや強引な追込みによって、追込み網や導管の内側壁に衝突して傷付き、マグロの稚魚がショックを受け、そのまま死亡したり、外洋の生簀での養殖に移行した後に順調に成育できなくなるおそれがある。
【先行技術文献】
【特許文献】
【０００５】
【特許文献１】特開２００７−２２２１５０号公報
【特許文献２】特開２００３−１４４００９号公報
【発明の概要】
【発明が解決しようとする課題】
【０００６】
このようにマグロ稚魚は、上述の誘導部材とポンプやサイフォンの原理を利用した回収は実質的に不可能とされてきた。そのため、デリケートでストレスや負傷に弱い稚魚を、致死させず、また傷付けずに回収するためには、稚魚を一匹ずつタモ網ですくい、バケツなどで数尾ずつ水ごと移送しているのが実状であり、多くの時間や人手を要してしまうため、回収作業が非効率的であるという問題があった。
【０００７】
このような背景から、マグロを初めとする魚類の稚魚を、衰弱させることなく効率的に回収する技術の開発が急務となっている。
そこで本発明は、マグロを初めとする魚類の小型魚を効率よく、かつ安全に回収することができる小型魚誘導部材および小型魚の回収装置を提供することを目的とする。
【課題を解決するための手段】
【０００８】
本発明者は、上記課題を解決すべく鋭意研究を重ねた結果、魚類の小型魚は臆病であり、誘導部材が着色されていると、これに近づきにくくなることを発見した。そして、誘導部材の導入部を光透過性部材とすることにより、魚類の小型魚が誘導部材の内部まで入りやすくなり、吸引力の弱いポンプまたはサイフォンの原理を利用しても、小型魚を衰弱させることなく移送できることを発見し、本発明に至った。
【０００９】
すなわち、本発明の小型魚誘導部材は、養殖される小型魚が進入する開口を有する導入部と、吸引手段が接続される開口を有する接続部と、前記導入部および前記接続部を繋ぐ流路を有する本体部を備え、少なくとも、前記導入部は、光透過性部材からなることを特徴とする。
【００１０】
本発明の小型魚誘導部材によれば、少なくとも導入部が光透過性部材により形成されているため、導入部内が明るくなり、小型魚に対して導入部の存在を薄れさせることができる。そのため、小型魚の警戒を薄れさせることができるので、小型魚を強引に追い込むことなく誘導部材の奥側へ入るため、小型魚が衰弱するほど強い水流で吸引する必要がなく、小型魚を回収することができる。
【００１１】
回収対象となる小型魚は特に制限はなく、養殖を行うすべての魚類の小型魚が対象となる。魚類として、例えば、ブリ、ハマチに例示されるブリ類、カンパチ、ヒラマサに例示されるカンパチ類、シマアジ類、マダイ、チダイ、ヘダイに例示されるタイ類、クロマグロ、タイセイヨウクロマグロ、ミナミマグロ、キハダ、メバチ、ビンナガ、コシナガ、タイセイヨウマグロ、カツオ、スマ、ヒラソウダ、マルソウダに例示されるマグロ類、マサバ、ゴマサバに例示されるサバ類、ハガツオ、イソマグロに例示されるハガツオ類、サワラ、カマスサワラに例示されるサワラ類、サケ、マスに例示されるサケマス類、ヒラメ、カレイ、ウシノシタに例示されるカレイ類等が挙げられる。
回収対象としてサバ科魚類が含まれる。サバ科魚類とは、スズキ目サバ亜科サバ科に分類される魚をいう。サバ科魚類にはハガツオ族、サワラ族、サバ族、マグロ族が含まれる。ハガツオ族にはイソマグロ属、ハガツオ属が含まれ、サワラ族にはカマスサワラ属、ニジョウサバ属、サワラ属が含まれ、サバ族にはグルクマ属、サバ属が含まれ、マグロ族にはソウダガツオ属、スマ属、カツオ属、マグロ属が含まれる。イソマグロ属にはイソマグロが、ハガツオ属にはハガツオが、カマスサワラ属にはカマスサワラが、サワラ属にはサワラが、サバ属にはマサバ、ゴマサバが、ソウダガツオ属にはヒラソウダ、マルソウダが、スマ属にはスマが、カツオ属にはカツオが、マグロ属にはクロマグロ、タイセイヨウクロマグロ、ミナミマグロ、キハダ、メバチ、ビンナガ、コシナガ、タイセイヨウマグロが含まれる。サバ科魚類の中でもマグロ属の小型魚は衰弱しやすいため、本発明の対象のひとつである。
【００１２】
回収対象魚の大きさに制限はなく、例えば、３０ｃｍ以下、２０ｃｍ以下、１０ｃｍ以下の仔魚や稚魚、幼魚などの養殖魚を小型魚として対象としてもよい。
【００１３】
本発明の小型魚誘導部材は、導入部、本体部及び接続部から構成される。但し、導入部、本体部及び接続部は、必ずしも別々の部材である必要はなく、導入部と本体部とが一体になったもの、本体部と接続部とが一体になったもの、導入部と本体部と接続部とが一体になったもの、も含まれるものとする。
【００１４】
本発明の小型魚誘導部材は、前記本体部も、光透過性部材から形成してもよい。そうすることで、小型魚に対して導入部だけでなく、本体部内も明るくなるので、本体部の存在を薄れさせることができるため、より小型魚の警戒を薄れさせることができ、より効率的に小型魚を誘導部材の奥側へ誘引することができる。
【００１５】
更に、前記接続部が光透過性部材からなることで、全体を、光透過性を有するものとしてもよい。そうすることで、小型魚に対して、本発明の小型魚誘導部材全体が明るくなるため、更に、安心感を与えることができるため、より効率的に小型魚を誘導部材の奥側へ誘引することができる。
【００１６】
小型魚誘導部材において、導入部の長さ（透明部分の長さ）に制限は無く、導入部と本体部の合計長さを１００％としたときに、例えば、５０％以上、例えば、７０％以上、例えば、８５％以上（１００％含む）である。なお、導入部の長さが１００％とは、導入部と本体部が一体であることを意味する。
【００１７】
前記光透過性部材は、小型魚が感知する光が透過する部材であればよく、目視で無色である場合の他、小型魚が感知する光が透過すれば有色である場合も含む。また、前記光透過部材は、光透過して、少なくとも導入部内が明るくなればよいため、例えば、ルーバーのように、導入部の内側から外側が見通せないが、光が差し込むような構造としたり、網状部材としたりすることもできる。
前記光透過性部材を透明部材としたときには、ガラス等の無機系材料でもでもよいが、透明樹脂でもよい。透明樹脂を使用する場合、光透過性部材としては、ポリオレフィン系樹脂、酢酸ビニル系樹脂、ポリエステル系樹脂、ポリ塩化ビニル樹脂、アクリル樹脂、ポリ塩化ビニリデン、ポリエチレンテレフタレート樹脂、ポリカーボネート樹脂、メチルメタアクリレート系樹脂及びポリアミド樹脂からから選択されるシート状部材または板状部材が挙げられる。
【００１８】
前記導入部は、前記導入部の開口から前記本体部へ向かうに従って開口面積が小さくなるように形成してもよい。導入部に侵入した小型魚は透明な壁面に沿って奥側へ誘導することができる。
【００１９】
また、本体部も接続部へ向かうに従って開口面積が小さくなるように形成してもよい。このように形成することにより、導入部と本体部は、ラッパ状、円錐状、角錐状などの形状となり、小型魚をさらにスムーズに接続部へ供給できる。
【００２０】
本発明の小型魚の回収装置は、本発明の小型魚誘導部材と、前記小型魚誘導部材の前記接続部に接続された導管と、前記導管に接続された前記吸引手段とを備えたことを特徴とする。
【００２１】
本発明の小型魚の回収装置によれば、本発明の小型魚誘導部材が小型魚の警戒を薄れさせることができるので、ポンプなどの吸引力を高めなくとも、容易に小型魚を導管に吸引し回収することができる。
【００２２】
前記導管の一部が透明部材により形成され、前記導管の光透過部分の一側に配置された発光部と、前記導管の一側と反対となる他側に配置された受光部と、前記受光部の受光の遮断回数を計数する計数部とを備えたものとしてもよい。発光部からの光が導管の光透過部分に入射し、導管を流れる水を透過した後、入射した位置と反対側となる導管の透明部分から出射して受光部に到達する。小型魚が導管を通過すると、発光部から受光部へ向かう光が遮断される。計数部は、発光部から受光部への光が遮断された回数を計数しているため、小型魚が通過した回数、すなわち回収できた小型魚の数を正確に計数することができる。
【発明の効果】
【００２３】
本発明によれば、小型魚の警戒を薄れさせることにより、小型魚誘導部材内へ進入させることができるため、出力の大きな吸引手段を使用することなく、小型魚を吸引用手段の吸引によって効率よく安全に回収することができる。
【図面の簡単な説明】
【００２４】
【図１】本発明の実施の形態に係る小型魚誘導部材を用いた稚魚の回収装置の全体の構成を示す図である。
【図２】図１に示す小型魚誘導部材を側面から見た斜視図である。
【図３】図１に示す小型魚誘導部材を正面から見た斜視図である。
【図４】図１に示す小型魚誘導部材を背面から見た斜視図である。
【図５】図１に示す計数装置を説明するための図である。
【発明を実施するための形態】
【００２５】
本発明の実施の形態に係る小型魚誘導部材、及びこれを備えた小型魚の回収装置について、図面に基づいて説明する。なお、本明細書では、回収前の養殖魚である小型魚が進入する開口側を先端、その反対側を基端として説明する。また、本実施の形態の小型魚誘導部材およびこれを備えた回収装置は、３０ｃｍ以下の小型魚として稚魚を想定しており、特に、マグロ稚魚を想定したものであるが、タイやブリなどのマグロ以外の魚類の稚魚や小型魚にも使用することができる。
【００２６】
図１に示す稚魚の本実施形態の回収装置１０は、養殖槽Ａから稚魚Ｆを集め、稚魚回収容器Ｂへ移すために用いられる。
小型魚の回収装置１０は、小型魚誘導部材１１と、小型魚誘導部材１１の基端部に接続された導管１２と、導管１２に接続された吸引手段である吸引用ポンプ１３と、計数装置１４とを備えている。
【００２７】
小型魚誘導部材１１は、図２から図４に示すように、稚魚Ｆが進入する開口を有し、稚魚Ｆを奥側へ案内する導入部１１１と、導入部１１１を支持するフレーム部１１２と、吸引用ポンプ１３が接続される開口を有する接続部１１３と、導入部１１１および接続部１１３を繋ぐ流路を有する本体部１１４とを備えている。
【００２８】
導入部１１１の全体形状は、先端部１１１ｂから基端部１１１ａへ向かうに従って開口面積が小さくなるように形成された、いわゆる角筒状の形状である。本実施形態では導入部１１１は、光透過性部材の一例である透明部材により形成されている。透明部材は、例えば、塩化ビニルからなるシート部材（以下、「ビニールシート」と記載する。）により形成されている。
【００２９】
本実施の形態での導入部１１１では、フレーム部１１２の先端方向へ拡がる形状に合わせて、底面部１１１ｃが水平に延びると共に、上面部１１１ｄが先端方向へ向かって斜め上方へ延びるように形成されている。
導入部１１１は、その基端部１１１ａが、本体部１１４の開口縁部に、板状部材１１４ｍにより挟み込まれ、固定されている。また、導入部１１１は、基端部１１１ａから先端部１１１ｂへ延びるそれぞれの角部１１１ｅに所定間隔ごとに形成された貫通孔に、フレーム部１１２に回した結束バンドを挿通させて固定されている。
【００３０】
フレーム部１１２は、可撓性を有する導入部１１１を支持して導入部１１１の輪郭形状を形成するものである。フレーム部１１２は円筒パイプが連結されて組み立てられている。
フレーム部１１２は、基端部１１２ａに位置し、矩形状に形成され、本体部１１４の開口を囲う基端フレーム１１２１と、先端部１１２ｂに位置し、矩形状に形成され、導入部１１１の先端部１１１ｂの開口を支持する先端フレーム１１２２と、基端部１１２ａと先端部１１２ｂとに繋がる支持フレーム１１２３と、先端フレーム１１２２の開口を２分するように配置された補強フレーム１１２４とを備えている。
【００３１】
支持フレーム１１２３は、複数のフレーム部材１１２３ａ〜１１２３ｄにより形成されている。
フレーム部材１１２３ａは、導入部１１１の角部１１１ｅに沿って延びるように配置されている。フレーム部材１１２３ｂは、導入部１１１の上面部１１１ｄ中央を、先端方向に向かって延びるように２本配置されている。フレーム部材１１２３ｃは、導入部１１１の底面部１１１ｃ中央を、先端方向に向かって延びるように２本配置されている。
【００３２】
接続部１１３は、導管１２（図１参照）が基端部１１３ａに接続される。接続部１１３は、円筒形状の金属筒により形成されている。
【００３３】
本体部１１４は、接続部１１３が一体的に繋がった基端部１１４ａから、導入部１１１が接続された先端部１１４ｂへ向かって拡がるように形成されている。本実施の形態での本体部１１４では、導入部１１１と同様に、底面部１１４ｃが水平に延びると共に、上面部１１４ｄが先端方向へ向かって斜め上方へ延びるように形成された角筒状の金属筒である。
図２に示すように、本実施形態の小型魚誘導部材１１において、導入部１１１の長さ（透明部分の長さ）は、導入部１１１と本体部１１４の合計長さを１００％としたときに、７０％以上に設計されている。
【００３４】
図１に示すように、導管１２は、養殖槽Ａから稚魚回収容器Ｂまで稚魚を搬送するための配管である。導管１２は、金属製とすることもできるが、ビニールホースやシリコーンゴムホース、フッ素樹脂ホース、アクリルホースなど、可撓性を有する樹脂製ホースが使用できる。また、導管１２を樹脂製ホースとするときには、透明ホースにより形成することができる。更に、導管１２を樹脂製ホースとするときには、蛇腹状のホースとすることができる。導管１２を蛇腹状のホースとすることで、伸縮性を備えさせることができる。
可撓性や伸縮性を有する導管１２とすると、ホースを湾曲させたり、伸縮させたりしやすく、小型魚誘導部材１１の位置と角度とを自由に設定できる。導管１２を金属管とするときには、後述する計数装置１４のセンサ部の取り付け位置の導管１２は透明部材を使用する。
【００３５】
吸引用ポンプ１３は、一側の導管１２内の水を吸引して他側へ排水することで、導管１２内の水を一方向へ圧送して吸引手段として機能するものである。本実施の形態では、吸引用ポンプ１３は、真空ポンプを使用している。
【００３６】
計数装置１４は、図５に示すように、導管１２に取り付けられるセンサ部１４１と、センサ部１４１からの信号により稚魚の数をカウントする計数部１４２とを備えている。センサ部１４１は、発光部１４１１と受光部１４１２とを備えている。
【００３７】
発光部１４１１は、導管１２の透明部分の一側に配置されている。発光部１４１１は、通電することで発光するものが使用できる。本実施の形態では発光ダイオードを使用しているが、電球や蛍光灯とすることもできる。
受光部１４１２は、導管１２の一側と反対となる他側に配置されている。受光部１４１２は、発光部１４１１からの光を受けて通電状態となったり、光が遮断されると高抵抗状態となったりするものである。受光部１４１２は、フォトダイオードやフォトトランジスタが使用できる。
計数部１４２は、受光部１４１２の受光の遮断回数を計数して、計数値を図示しない表示部に表示するものである。
【００３８】
以上のように構成された本発明の実施の形態に係る小型魚の回収装置の動作および使用状態について、図面に基づいて説明する。
まず、養殖槽Ａに小型魚誘導部材１１を浸漬させると共に、小型魚誘導部材１１の接続部１１３に導管１２の一方の端部を連結する。また、導管１２の他方の端部を稚魚回収容器Ｂに挿入する。次に、計数装置１４のセンサ部１４１を導管１２に取り付ける。
以上の準備が終われば、使用者は、吸引用ポンプ１３を始動する。
【００３９】
吸引用ポンプ１３を始動することにより、導管１２に接続された小型魚誘導部材１１内の水が吸引される。小型魚誘導部材１１の前方に位置する稚魚Ｆは、吸引用ポンプ１３の吸引より引き寄せられる。
稚魚Ｆが小型魚誘導部材１１に近づいたときに、小型魚誘導部材１１における導入部１１１が透明であり、光透過性を有しているため、小型魚誘導部材１１が水中に位置していても、外光が導入部１１１内まで到達するので、導入部１１１内が明るくなる。その結果、稚魚Ｆの警戒を薄れさせることができるため、稚魚Ｆを、小型魚誘導部材１１内へ進入させることができる。また、導入部１１１の水面側である上面部１１１ｄが透明であるため、外光をより取り入れやすく、小型魚誘導部材１１に入った稚魚を目視で確認することができる。
【００４０】
導入部１１１は、先端部１１１ｂから基端部１１１ａ向かって開口面積が小さくなるように形成されているため、導入部１１１を流れる水は、奥に進むに従って徐々に流速が速くなる。従って、導入部１１１の奥に向かって進行する稚魚Ｆは流れに従って導入部１１１から本体部１１４へ吸引される。本体部１１４では、導入部１１１と同様に、先端部１１４ｂから基端部１１４ａに向かって開口面積が小さくなるように形成されているため、更に、導入部１１１より流路が細くなる。従って、導入部１１１の奥深く吸引された稚魚Ｆは、本体部１１４に容易に吸引される。そして、本体部１１４を通過した稚魚Ｆは、接続部１１３へ誘導される。
【００４１】
小型魚誘導部材１１を通過した稚魚Ｆは、導管１２に進行する。図１に示すように導管１２にはセンサ部１４１が配置されている。図５に示すように、センサ部１４１における導管１２ａは透明部材により形成されている。すなわち、導管１２が金属等の不透明部材である場合には、センサ部１４１における導管１２ａを透明部材に接続すればよく、導管１２全体が透明部材である場合にはそのままで使用してもよい。
【００４２】
発光部１４１１からの光が、センサ部１４１における透明部材により形成された導管１２ａに入射し、導管１２ａを流れる水を透過した後、入射した位置と反対側となる導管１２ａから出射して受光部１４１２に到達する。稚魚Ｆは、図５に示す発光部１４１１と受光部１４１２との間を通過する。このとき、稚魚Ｆが発光部１４１１と受光部１４１２との間に位置することで、発光部１４１１から受光部１４１２へ向かう光が稚魚Ｆにより遮断される。計数部１４２は、発光部１４１１から受光部１４１２への光が遮断された回数を計数しているため、稚魚Ｆが通過した回数、すなわち回収できた稚魚Ｆの数を計数することができる。
【００４３】
センサ部における導管１２ａの透明部材は、発光部１４１１から受光部１４１２への光に対する透過性があるものであればよく、上述した稚魚誘導部材における透明部材と同様のものを使用できる。具体的には、ガラスや、ポリオレフィン系樹脂、酢酸ビニル系樹脂、ポリエステル系樹脂、ポリ塩化ビニル樹脂、アクリル樹脂、ポリ塩化ビニリデン、ポリエチレンテレフタレート樹脂、ポリカーボネート樹脂、メチルメタアクリレート系樹脂及びポリアミド樹脂等の透明樹脂が挙げられる。
【００４４】
なお、センサ部における導管１２ａは空気中に配置すると、空気の屈折率、導管１２ａを構成する透明部材の屈折率、および水の屈折率が一致しないため、稚魚が導管１２ａを通過する位置によってはミスカウントを生じることがある。
ここで、導管１２ａの透明部材を、水と屈折率が近いアクリル樹脂製とし、かつ、導管１２ａを水中に配置することにより、それぞれ屈折率差が実質的になくなり、魚が導管１２ａを通過する位置に関わらず、発光部１４１１からの光を直線的に受光部１４１２へ到達させることができる。従って、センサ部１４１によって的確に稚魚Ｆを捉えることができる。
【００４５】
センサ部１４１を通過した稚魚Ｆは、更に、導管１２内を移動して稚魚回収容器Ｂに放出される。稚魚回収容器Ｂに放出された稚魚は、稚魚回収容器Ｂのまま、あるいは必要に応じてタモ網等で小分けにした後に、目的とする成育用の生簀等に移動される。
【００４６】
このように本実施の形態に係る小型魚の回収装置１０は、小型魚誘導部材１１に対する稚魚Ｆの警戒を薄れさせることにより、小型魚誘導部材１１内部の接続部に稚魚Ｆを誘導することができるため、出力の大きな吸引用ポンプを使用することなく効率よく安全に稚魚Ｆを回収することができる。
【００４７】
また、導入部１１１がビニールシートにより形成されているため、ビニールシートが使用により劣化しても、ビニールシートは結束バンドによりフレーム部１１２に張られている。そのため、使用者は、既設のビニールシートを新しいものに交換して、容易にフレーム部１１２に張り替えることができる。
【００４８】
なお、導入部１１１は、ビニールシート等の透明樹脂のシート部材を使用する以外に、透明樹脂の板状部材を使用してもよい。具体的には、ポリオレフィン系樹脂、酢酸ビニル系樹脂、ポリエステル系樹脂、ポリ塩化ビニル樹脂、アクリル樹脂、ポリ塩化ビニリデン、ポリエチレンテレフタレート樹脂、ポリカーボネート樹脂、メチルメタアクリレート系樹脂及びポリアミド樹脂等の透明樹脂の板状部材を、四角錐状または三角錐状に形成したものとすることができる。この場合、上述した実施形態における金属製の本体部１１４は、導入部１１１を構成する樹脂板部材により一体とすることも可能である。
導入部１１１および本体部１１４を一体化したものとすることで、全体を光透過性部材により形成することができる。また、導入部１１１を樹脂板により形成することにより、フレーム部１１２を兼用させ、省略することができる。
【００４９】
本体部１１４が光透過性部材からなるものとすれば、本体部内も明るくなるので、稚魚に対して本体部１１４の存在を薄れさせることができるため、より稚魚の警戒を薄れさせることができる。
更に、接続部１１３も樹脂板部材などの光透過性部材からなるものとすれば、小型魚誘導部材１１全体が明るくなり、更に、稚魚の警戒心を薄れさせることができる。また、稚魚Ｆを、最も狭くなった流路に進行させる際のストレスを緩和させることができる。
【００５０】
接続部１１３または本体部１１４に光を照射する、または反射板等の間接照明を用いることで、接続部１１３内や本体部１１４内を明るく照らし、小型魚の警戒を薄れさせてもよい。
【００５１】
また、本実施形態の小型魚誘導部材１１では、導入部１１１の長さ（透明部分の長さ）は、導入部１１１と本体部１１４の合計長さを１００％としたときに、７０％以上に設計されているが、稚魚の種類や吸引手段の出力等を考慮して任意に設定でき、例えば、５０％以上にしてもよい。
【００５２】
また、フレーム部１１２が、円筒パイプを連結して組み立てられていることで、簡単にフレーム部１１２を構成することができると共に、フレーム部１１２を軽量化することができる。
【００５３】
また、接続部１１３に続く導管１２が金属製でなく、透明部材からなるものとすれば、更に、移動距離が長い導管１２内を明るくすることができるので、稚魚Ｆに与えるストレスを更に軽減することができる。
【００５４】
なお、本実施の形態では、稚魚としてマグロ稚魚を想定した例に説明したが、本発明の係る小型魚誘導部材およびこれを用いた小型魚の回収装置は、上述したように、タイやブリなどのマグロ以外の他の稚魚でも使用することができる。しかし、マグロ等の回遊魚の稚魚は、遊泳力が強いため、稚魚誘導部材内に誘導できなければ、相当大きな出力の吸引手段が必要となる。そのため、本発明はマグロ稚魚の回収に適する。
【００５５】
また、本実施の形態では、吸引手段として真空ポンプを例に説明したが、例えば、養殖槽Ａの水位を、養殖槽Ｂの水位より高く位置させ、養殖槽Ａと養殖槽Ｂとの間を導管１２で接続する構成を吸引手段としてもよい。養殖槽Ａの水位が養殖槽Ｂより高いことで、サイフォンの原理が作用して、養殖槽Ａから水と共に、稚魚Ｆを小型魚誘導部材１１に吸引して、養殖槽Ｂへ導管１２を介して移送することができる。
【産業上の利用可能性】
【００５６】
本発明によれば、小型魚を効率よく、かつ安全に回収することができるため、魚類の養殖技術のひとつとして有望である。
【符号の説明】
【００５７】
１０  回収装置
１１  小型魚誘導部材
１１１  導入部
１１１ａ  基端部
１１１ｂ  先端部
１１１ｃ  底面部
１１１ｄ  上面部
１１１ｅ  角部
１１２  フレーム部
１１２ａ  基端部
１１２ｂ  先端部
１１２１  基端フレーム
１１２２  先端フレーム
１１２３  支持フレーム
１１２３ａ〜１１２３ｄ  フレーム部材
１１２４  補強フレーム
１１３  接続部
１１３ａ  基端部
１１４  本体部
１１４ａ  基端部
１１４ｂ  先端部
１１４ｃ  底面部
１１４ｄ  上面部
１１４ｍ  板状部材
１２  導管
１２ａ  センサ部における導管
１３  吸引用ポンプ
１４  計数装置
１４１  センサ部
１４１１  発光部
１４１２  受光部
１４２  計数部
Ａ，Ｂ  養殖槽
Ｆ  稚魚
【図１】
0006723816.tif 000002
【図２】
0006723816.tif 000003
【図３】
0006723816.tif 000004
【図４】
0006723816.tif 000005
【図５】
0006723816.tif 000006